(57)【要約】【課題】Ｘ接点スイッチのチャタリングによる誤動作を防止する。【解決手段】シャッタ先幕の走行に連動して、オンからオフに移行するＸ接点スイッチをと、該スイッチのオフを検知してシンクロ信号を生成する半導体スイッチを設け、チャタリングの影響を防止する。【選択図】　　　図１
2004109604.tif 000002
【特許請求の範囲】
【請求項１】
外部に接続される閃光装置用のシンクロ端子と、フォーカスプレーンシャッタのシャッタ先羽根が全開になった際に、オン状態からオフ状態に移行する機械スイッチと、該スイッチのオンからオフ状態への移行によりスイッチングする前記シンクロ端子に接続されたシンクロ用半導体スイッチ素子とを有するカメラ。
【請求項２】
外部に接続される閃光装置用のシンクロ端子と、フォーカルプレーンシャッタのシャッタ先羽根に連動し、該先羽根が全開となるタイミングよりも早いタイミングで、オン状態からオフ状態に移行する機械スイッチと、該スイッチのオンからオフ状態への移行を検知するとともに、スイッチがオフ状態へ変化してから前記先羽根が全開となる時間の経過後に出力を発生する制御回路と、該回路からの出力によりスイッチングする前記シンクロ端子に接続されたシンクロ用半導体スイッチ素子とを有するカメラ。
【発明の詳細な説明】
【０００１】
【発明の属する技術分野】
本発明は、閃光発光装置用シンクロ接点を持つカメラの改良に関するものである。
【０００２】
【従来の技術】
従来、閃光発光装置のシンクロ信号はカメラ内のシャッタ動作に同期して開閉する機械式電気接点によってオン／オフされ、撮影に適切なタイミングで閃光発光がなされるようになっている。
【０００３】
閃光発光装置の閃光発光タイミングは、シンクロ端子とグランド端子が、短絡されたタイミングで閃光発光を開始するようになっている。
【０００４】
従来の機械式接点の場合、シャッタ羽根が全開になったタイミングで、オンする事により閃光発光装置に発光タイミングを伝達するようになっている。
【０００５】
【発明が解決しようとする課題】
上記従来例では、機械式接点をもちいてシンクロ信号を生成しており、シンクロ信号はシンクロタイミングにおいて、オフからオンに変化する必要があるため、機械式接点はシンクロタイミングにおいて、オフからオンに変化する必要がある。
【０００６】
一般的に、機械式接点がオフからオンに変化する際には、接点が非接触状態から接触状態へ変化するため、接点のバウンドなどによりチャタリングが発生しやすくなっている。
【０００７】
シンクロタイミングでチャタリングが発生した場合、閃光発光装置に発光タイミングを正確に伝達できなくなってしまう可能性がある。
【０００８】
また、取り付けられた閃光発光装置によっては、複数回発光してしまうなどの問題点がある。
【０００９】
さらに、半導体素子を用いたシンクロ端子の場合でも、チャタリング吸収機能を設けなければ、チャタリングをそのまま閃光発光装置に伝達してしまう問題点がある。
【００１０】
（発明の目的）
本発明の目的は、機械式接点にチャタリングが発生しても正確にシンクロタイミングを伝達することのできるカメラを供給しようとするものである。
【００１１】
【課題を解決するための手段】
上記目的を達成するために、シャッタ装置の羽根の動きに同期して、シンクロタイミングを発生するための機械式接点をシンクロ信号を発生するタイミングの際に、オンからオフの変化するようにすることと、機械式接点からの信号を半導体スイッチ等を用いて、シンクロ端子や、閃光発光回路に供給されるシンクロ信号をオフからオンに変化するように変換することで、機械式接点のバウンドなどによるチャタリングの発生を防止し、正確なシンクロ信号を発生することを可能としたものである。
【００１２】
【発明の実施の形態】
以下、本発明を図示の実施の形態に基づいて詳細に説明する。
【００１３】
図１は本発明の実施の第１の形態に係るカメラシステムの主要部分の構成を示すブロック図である。
【００１４】
図１において、１はカメラ本体、２はカメラ本体１に装着される閃光発光装置、３はカメラ本体１に内蔵されたフォーカルプレーンシャッタユニット、４はフォーカルプレーンシャッタ３のシャッタ先幕（羽根）の開閉に応じてオン／オフするシンクロ接点、５はシンクロ接点４を電気的にプルアップするためのプルアップ抵抗である。６はシンクロ接点４とプルアップ抵抗５に接続され、シンクロ接点４の信号をバッファするためのバッファ素子、７はバッファ素子６の出力にゲート端子が接続された半導体スイッチ素子であるＮチャンネルの電界効果型トランジスタ（以下、ＦＥＴと記す）、８はカメラ本体１の上部に配置され、ＦＥＴ７の出力であるドレイン端子が接続された端子８ａ及びカメラ内のＧＮＤと接続された本体部分８ｂを持つホットシュウである。
【００１５】
９は閃光発光装置２をカメラのホットシュウ８に取り付けるための閃光発光装置側のホットシュウであり、カメラ側のホットシュウ８の端子８ａと電気的に接続される９ａとＧＮＤ８ｂと電気的に接続される９ｂを持っている。１０は閃光発光装置２内部にある閃光発光制御回路、１１は閃光発光装置２の発光部であるキセノン管（以下、ＸＥ管と記す）であり、閃光発光制御回路１１から出力されるトリガー信号により発光を開始する。１２は閃光発光装置２の電源に一端を接続された第１の抵抗、１３は一端を第１の抵抗１２に、他端を端子９ａに、それぞれ接続された第２の抵抗である。１４は、第１の抵抗１２と電源にエミッタが、第１の抵抗１２と第２の抵抗１３にベースが、閃光発光制御回路１０にコレクタが、それぞれ接続されたＰＮＰトランジスタである。
【００１６】
図２は、カメラ本体１に閃光発光装置２が取り付けられた場合の撮影時の動作タイミングを示す図であり、図１と図２により撮影時の動作を説明する。
【００１７】
カメラ本体１に配置された不図示のレリーズ釦がオンされると、図２のＡのタイミングで、シャッタユニット３のシャッタ幕（羽根）のうち、先幕（羽根）の走行が開始され、図２のＢのタイミングで、シャッタが全開となり、シャッタ先幕（羽根）の走行が完了する。
【００１８】
前記シャッタ先幕（羽根）走行完了のタイミングでシンクロ接点４がオンからオフに変化するため、プルアップ抵抗５によりプルアップされたシンクロ接点の出力信号は、ＬｏｗからＨｉｇｈに変化する。このとき、バッファ素子６の出力信号はＬｏｗからＨｉｇｈに変化するため、ＦＥＴ７のゲートも同様に変化し、該ＦＥＴ７がオフからオンに変化するため、第１の抵抗１２及び第２の抵抗１３により閃光発光装置２の電源にプルアップされている出力であるドレイン端子の電圧がＨｉｇｈからＬｏｗへ変化し、ＰＮＰトランジスタ１４がオン状態となり、閃光発光制御回路１０の入力がＨｉｇｈとなる。
【００１９】
これにより、閃光発光制御回路１０は発光トリガーが入力されたのでＸＥ管１１にトリガーを出力して、閃光発光を行わせる。
【００２０】
次に、図２のＣのタイミングでは、シャッタユニット３のシャッタ幕（羽根）のうち、シャッタ後幕（羽根）の走行が開始され、シャッタ全開状態からシャッタを閉じる動作が開始される。このとき、シンクロ接点４はオフからオンに変化するため、図２のＢのタイミングで、オンからオフに変化した際と逆の動作をして閃光発光制御回路１０の入力はＨｉｇｈからＬｏｗに変化するようになっている。
【００２１】
さらに、図２のＤのタイミングでは、シャッタユニット３のシャッタ後幕（羽根）の走行が完了し、シャッタが全閉状態となり、露光動作が終了する。
【００２２】
ここで、シンクロ接点４がオフからオンになるタイミングは、図２のＣのシャッタ後幕（羽根）が走行を開始するタイミングとしたが、これ以降であればどのタイミングでも問題ない。
【００２３】
以上述べたように、シャッタ装置の羽根の動きに同期して、シンクロタイミングを発生するための機械式接点（シンクロ接点）をシンクロ信号を発生するタイミングの際に、オンからオフの変化するようにすることと、機械式接点からの信号を半導体スイッチ等を用いて、シンクロ端子や、閃光発光回路に供給されるシンクロ信号をオフからオンに変化するように変換することで、機械式接点のバウンドなどによるチャタリングの発生を防止し、正確なシンクロ信号を発生することが可能となる。
【００２４】
（実施の第２の形態）
図３は本発明の実施の第２の形態に係るカメラシステムの主要部分の構成を示すブロック図である。
【００２５】
図３において、１５はカメラ本体、１６はカメラ本体１５に装着される閃光発光装置、１７はカメラ本体１５に内蔵されたフォーカルプレーンシャッタユニット、１８はシャッタ１７のシャッタ幕（羽根）の開閉に応じてオン／オフするシンクロ接点、１９はシンクロ接点１８を電気的にプルアップするためのプルアップ抵抗である。
【００２６】
２０は、カメラ全体を制御するためのマイクロコンピュータであり、シンクロ接点の状態を検知するＸＩＮ入力端子と、シンクロ信号を出力するためのＳＹＮＣＯＵＴ端子を持つ。
【００２７】
２１はマイクロコンピュータ２０のＳＹＮＣＯＵＴ端子にゲート端子が接続された半導体スイッチ素子であるＮチャンネルの電界効果型トランジスタ（以下、ＦＥＴと記す）、２２はカメラ本体１５の上部に配置され、ＦＥＴ２１の出力であるドレイン端子が接続された端子２２ａ及びカメラ内のＧＮＤと接続された本体部分２２ｂを持つホットシュウである。
【００２８】
２３は閃光発光装置１６をカメラのホットシュウ２３に取り付けるための閃光発光装置側のホットシュウであり、カメラ側のホットシュウ２２の端子２２ａと電気的に接続される２３ａとＧＮＤ２２ｂと電気的に接続される２３ｂを持っている。２４は閃光発光装置１６内部にある閃光発光制御回路、２５は閃光発光装置１７の発光部であるキセノン管（以下、ＸＥ管と記す）であり、閃光発光制御回路２４から出力されるトリガー信号により発光を開始する。２６は閃光発光装置１６の電源に一端を接続された第１の抵抗、２７は一端を第１の抵抗２６に、他端を端子２３ａに、それぞれ接続された第２の抵抗である。２８は、第１の抵抗２６と電源にエミッタが、第１の抵抗２６と第２の抵抗２７にベースが、閃光発光制御回路２４にコレクタが、それぞれ接続されたＰＮＰトランジスタである。
【００２９】
図４は、カメラ本体１５に閃光発光装置１６が取り付けられた場合の撮影時の動作タイミングを示す図であり、図３と図４により撮影時の動作を説明する。
【００３０】
カメラ本体１５に配置された不図示のレリーズ釦がオンされると、図４のＡのタイミングで、シャッタユニット１７のシャッタ幕（羽根）のうち、先幕（羽根）の走行が開始され、図４のＢのタイミングで、シンクロ接点１８がオンからオフに変化し、プルアップ抵抗１９によりプルアップされたシンクロ接点１８の信号が、”Ｌｏｗ”から”Ｈｉｇｈ”に変化する。
【００３１】
次に、図４のＣのタイミングで、シャッタが全開となり、シャッタ先幕（羽根）の走行が完了する。
【００３２】
この、シャッタ先幕（羽根）走行完了のタイミングでＢのタイミングから所定時間経過した時点Ｃでマイクロコンピュータ２０はＳＹＮＣＯＵＴ出力端子を”Ｌｏｗ”から”Ｈｉｇｈ”に変化させるため、ＦＥＴ２１がオフからオンに変化し、第１の抵抗２６及び第２の抵抗２７により閃光発光装置１６の電源にプルアップされている出力であるドレイン端子の電圧がＨｉｇｈからＬｏｗへ変化し、ＰＮＰトランジスタ２８がオン状態となり、閃光発光制御回路２４の入力がＨｉｇｈとなる。
【００３３】
これにより、閃光発光制御回路２４は発光トリガーが入力されたのでＸＥ管２５にトリガーを出力して、閃光発光を行わせる。
【００３４】
次に、図４のＤのタイミングでは、シャッタユニット１７のシャッタ幕（羽根）のうち、シャッタ後幕（羽根）の走行が開始され、シャッタ全開状態からシャッタを閉じる動作が開始される。
【００３５】
このとき、マイクロコンピュータ２０は、ＳＹＮＣＯＵＴ出力端子を”Ｈｉｇｈ”から”Ｌｏｗ”へ変化させることで、閃光発光制御回路１０の入力はＨｉｇｈからＬｏｗに変化するようになっている。
【００３６】
さらに、図４のＥのタイミングでは、シャッタユニット１７のシャッタ後幕（羽根）の走行が完了し、シャッタが全閉状態となる。
さらに、図４のＦのタイミングでシャッタチャージを開始する。この際にシンクロ接点１８は、オフからオンに変化する。ここで、オフからオンに変化する際にチャタリングが発生する場合があるが何ら問題ない。
さらに、不図示のシャッタチャージ終了を持って一連のレリーズ動作を終了する。
【００３７】
ここで、シンクロ接点１８がオフからオンになるタイミングは、図４のＦのシャッタチャージを開始するタイミングとしたが、Ｃのタイミングの先幕（羽根）走行完了以降であればどのタイミングでも問題ない。
【００３８】
次に、図５は本発明の第２の実施例のマイクロコンピュータ２０のレリーズの際の動作を示すフローチャートであり、レリーズ動作が開始されると＃１０１より動作を開始する。
【００３９】
＃１０１では、シャッタ１７の先幕（羽根）を走行させる動作を開始して＃１０２へ進む。
【００４０】
＃１０２では、ＸＩＮ入力端子の状態が、”Ｌｏｗ”から”Ｈｉｇｈ”へ変化したかどうかを検知し、変化していなければ再度＃１０２へ戻り、変化していればシンクロ接点１８がオンからオフへ変化したと判断し、＃１０３へ進む。
【００４１】
＃１０３では、ＸＩＮ入力端子が”Ｌｏｗ”から”Ｈｉｇｈ”へ変化してからの時間を計測するタイマーをスタートさせて＃１０４へ進む。
【００４２】
＃１０４では、＃１０３でスタートさせたタイマーが所定時間に達したかどうかを判断し、所定時間経過していれば＃１０５にすすみ、経過していなければ＃１０４に戻る。尚この時間はシャッタ先羽根が全開するまでの時間にセットされている。
【００４３】
＃１０５では、ＳＹＮＣＯＵＴ出力端子を”Ｌｏｗ”から”Ｈｉｇｈ”へ変化させて＃１０６へ進む。
【００４４】
＃１０６では、シャッタを開く時間が、指定されたシャッタ速度に応じた時間に達したかどうかを判断し、所定時間に達していたら＃１０７に進み、所定時間達していなければ＃１０６に戻る。
【００４５】
＃１０７では、シャッタの後幕（羽根）走行を開始する事により、シャッタを閉める動作を開始して＃１０８に進む。
【００４６】
＃１０８では、ＳＹＮＣＯＵＴ出力端子を”Ｈｉｇｈ”から”Ｌｏｗ”へ変化させてＦＥＴ２１をオフさせて＃１０９へ進む。
【００４７】
＃１０９では、シャッタチャージをおこなって一連のレリーズ動作を終了する。
【００４８】
【発明の効果】
以上、説明したように、シャッタ装置の羽根の動きに同期して、シンクロタイミングを発生するための機械式接点をシンクロ信号を発生するタイミングの際に、オンからオフの変化するようにすることと、機械式接点からの信号をマイクロコンピュータ等を用いて検出し、一定時間のタイマーを動作させた後、半導体スイッチ等を用いて、シンクロ端子や、閃光発光回路に供給されるシンクロ信号をオフからオンに変化するように変換することで、機械式接点のバウンドなどによるチャタリングの発生を防止し、正確なシンクロ信号を発生することが可能となる。
【００４９】
なお、ここまでの実施例では、外部に装着される閃光発光装置に対して、シンクロ信号を伝達する場合について説明したが、閃光発光装置をカメラ内部に内蔵した場合についても同様である。
【図面の簡単な説明】
【図１】本発明の実施の第１の形態に係るカメラ本体及び該カメラ本体に接続される閃光発光装置の電気的構成を示すブロック図である。
【図２】本発明の実施の第１の形態においての動作を説明するためのタイミングチャートである。
【図３】本発明の実施の第２の形態に係るカメラ本体及び該カメラ本体に接続される閃光発光装置の電気的構成を示すブロック図である。
【図４】本発明の実施の第２の形態においての動作を説明するためのタイミングチャートである。
【図５】本発明の実施の第２の形態においてのマイクロコンピュータの動作を説明するためのフローチャートである。
【符号の説明】
１　カメラ本体
２　閃光発光装置
３　シャッタユニット
４　シンクロ接点
７　ＦＥＴ（半導体スイッチ素子）
８　ホットシュウ（シンクロ端子）
９　シンクロターミナル（シンクロ端子）
１５　カメラ本体
１６　閃光発光装置
１７　シャッタユニット
１８　シンクロ接点
２０　マイクロコンピュータ
２１　ＦＥＴ（半導体スイッチ素子）
２２　ホットシュウ（シンクロ端子）
２３　シンクロターミナル（シンクロ端子）
【図１】
2004109604.tif 000003
【図２】
2004109604.tif 000004
【図３】
2004109604.tif 000005
【図４】
2004109604.tif 000006
【図５】
2004109604.tif 000007